(57)【特許請求の範囲】
【請求項１】
ＲＲＣ＿ＩＤＬＥ及びＲＲＣ＿ＩＮＡＣＴＩＶＥ状態のための同期信号（ＳＳ）ブロックベースのセル再選択測定のために、無線ネットワークノードによってサービスされるセルにキャンプオンするユーザ装置（ＵＥ）を構成するための、前記無線ネットワークノードによって実行される方法であって、前記方法は、
−  測定ウインドウのための構成パラメータを含む情報を前記ＵＥに提供することであって、前記構成パラメータは、ＲＲＣ＿ＩＤＬＥ及びＲＲＣ＿ＩＮＡＣＴＩＶＥ状態のための前記ＳＳブロックベースのセル再選択測定のために前記ＵＥを構成するための、ウインドウ周期性パラメータと、ウインドウオフセットパラメータと、ウインドウ持続時間パラメータとを含む、こと
を備え、
前記無線ネットワークノードは、ＲＲＣ＿ＣＯＮＮＥＣＴＥＤ状態からＲＲＣ＿ＩＮＡＣＴＩＶＥ又はＲＲＣ＿ＩＤＬＥ状態に前記ＵＥを切り替える前に、又は切り替えることに関連して、前記ＵＥに前記情報を伝達するために無線リソース制御（ＲＲＣ）シグナリングを使用する、
方法。
【請求項２】
請求項１に記載の方法であって、前記無線ネットワークノードは、ｇＮｏｄｅＢ（ｇＮＢ）である、
方法。
【請求項３】
請求項１又は２に記載の方法であって、前記情報は、システム情報（ＳＩ）の中で前記ＵＥに提供される、
方法。
【請求項４】
請求項１乃至３のいずれか１項に記載の方法であって、前記ウインドウ周期性パラメータは、前記無線ネットワークノードによってサービスされる前記セル及び関連する隣接セルの中での最小のＳＳバーストセット反復周期に等しい値を有する、
方法。
【請求項５】
請求項１乃至４のいずれか１項に記載の方法であって、前記ウインドウ周期性パラメータは、５、１０、２０、４０、８０及び１６０ミリ秒からなるグループ内で選択される値を有する、
方法。
【請求項６】
請求項１乃至５のいずれか１項に記載の方法であって、前記ウインドウオフセットパラメータは、前記ウインドウ周期性パラメータよりも小さい、
方法。
【請求項７】
請求項１乃至６のいずれか１項に記載の方法であって、前記ウインドウ持続時間パラメータは、構成されたウインドウ周期性パラメータより小さいか、又は等しい、
方法。
【請求項８】
請求項１乃至７のいずれか１項に記載の方法であって、前記無線ネットワークノードは、少なくとも１つのセルにサービスし、前記情報は、前記無線ネットワークノードによってサービスされる前記少なくとも１つのセル内で伝達される、
方法。
【請求項９】
請求項１乃至８のいずれか１項に記載の方法であって、前記ＳＳブロックが前記ＵＥの近傍で送信される時間間隔をカバーする反復測定ウインドウが存在する、
方法。
【請求項１０】
請求項１乃至９のいずれか１項に記載の方法であって、前記測定ウインドウは、ＳＳバーストをカバーする、
方法。
【請求項１１】
請求項１乃至９のいずれか１項に記載の方法であって、前記測定ウインドウはＳＳバーストセットをカバーし、前記ウインドウオフセットは現在のサービングセルの前記ＳＳバーストセットの開始に関連し、前記ウインドウ持続時間は、前記現在のサービングセル及び関連する隣接セルのＳＳバーストセットの和集合である、
方法。
【請求項１２】
請求項１１に記載の方法であって、ＳＳバーストセットは１つのＳＳバーストを含み、前記測定ウインドウは、前記ＳＳバーストをカバーする、
方法。
【請求項１３】
請求項１乃至１２のいずれか１項に記載の方法であって、前記無線ネットワークノードは、隣接無線ネットワークノードから無線ネットワークノード間同期精度のビーム掃引構成を取得する、
方法。
【請求項１４】
請求項１３に記載の方法であって、前記ビーム掃引構成は、
−  ＳＳバースト内のビームの数と、
−  ＳＳバーストセット内のＳＳバーストの数と、
−  ＳＳバースト間の間隔と、
−  前記隣接無線ネットワークノードのＳＳバーストセット反復周期の少なくとも近似と、
を含む、方法。
【請求項１５】
請求項１４に記載の方法であって、前記ＵＥを構成することは更に、
−  前記無線ネットワークノード間同期精度と、
−  ＳＳバースト内のビームの前記数と、
−  ＳＳバーストセット内のＳＳバーストの前記数と、
−  前記ＳＳバースト間の間隔と、
−  前記隣接無線ネットワークノードの前記ＳＳバーストセット反復周期と、
に基づいて前記測定ウインドウを構成することを含む、方法。
【請求項１６】
請求項１に記載の方法であって、前記無線ネットワークノードは、前記情報を前記ＵＥに伝達するためにＲＲＣＣｏｎｎｅｃｔｉｏｎＲｅｌｅａｓｅメッセージを使用する、
方法。
【請求項１７】
請求項１乃至１６のいずれか１項に記載の方法であって、前記測定ウインドウは、複数のサブウインドウに分割される、
方法。
【請求項１８】
請求項１７に記載の方法であって、前記情報は、サブウインドウ持続時間パラメータ及びサブウインドウ反復周期性パラメータを含む、前記測定ウインドウのための更なる構成パラメータを含む、
方法。
【請求項１９】
ＲＲＣ＿ＩＤＬＥ及びＲＲＣ＿ＩＮＡＣＴＩＶＥ状態のための同期信号（ＳＳ）ブロックベースのセル再選択測定のために、無線ネットワークノードによってサービスされるセルにキャンプオンするユーザ装置（ＵＥ）を構成するように動作する前記無線ネットワークノードであって、前記無線ネットワークノードは、処理回路及びメモリを備え、前記メモリは、前記処理回路によって実行可能な命令を含み、それによって、前記無線ネットワークノードは、
−  測定ウインドウのための構成パラメータを含む情報を前記ＵＥに提供することであって、前記構成パラメータは、ＲＲＣ＿ＩＤＬＥ及びＲＲＣ＿ＩＮＡＣＴＩＶＥ状態のための前記ＳＳブロックベースのセル再選択測定のために前記ＵＥを構成するための、ウインドウ周期性パラメータと、ウインドウオフセットパラメータと、ウインドウ持続時間パラメータとを含む、こと
を行うように動作し、
前記無線ネットワークノードは更に、ＲＲＣ＿ＣＯＮＮＥＣＴＥＤ状態からＲＲＣ＿ＩＮＡＣＴＩＶＥ又はＲＲＣ＿ＩＤＬＥ状態に前記ＵＥを切り替える前に、又は切り替えることに関連して、前記ＵＥに前記情報を伝達するために無線リソース制御（ＲＲＣ）シグナリングを使用するように動作する、
無線ネットワークノード。
【請求項２０】
請求項１９に記載の無線ネットワークノードであって、前記無線ネットワークノードは、ｇＮｏｄｅＢ（ｇＮＢ）である、
無線ネットワークノード。
【請求項２１】
請求項１９又は２０に記載の無線ネットワークノードであって、前記情報は、システム情報（ＳＩ）の中で前記ＵＥに提供される、
無線ネットワークノード。
【請求項２２】
請求項１９乃至２１のいずれか１項に記載の無線ネットワークノードであって、前記ウインドウ周期性パラメータは、前記無線ネットワークノードによってサービスされる前記セル及び関連する隣接セルの中での最小のＳＳバーストセット反復周期に等しい値を有する、
無線ネットワークノード。
【請求項２３】
請求項１９乃至２２のいずれか１項に記載の無線ネットワークノードであって、前記ウインドウ周期性パラメータは、５、１０、２０、４０、８０及び１６０ミリ秒からなるグループ内で選択される値を有する、
無線ネットワークノード。
【請求項２４】
請求項１９乃至２３のいずれか１項に記載の無線ネットワークノードであって、前記ウインドウオフセットパラメータは、前記ウインドウ周期性パラメータよりも小さい、
無線ネットワークノード。
【請求項２５】
請求項１９乃至２４のいずれか１項に記載の無線ネットワークノードであって、前記ウインドウ持続時間パラメータは、構成されたウインドウ周期性パラメータより小さいか、又は等しい、
無線ネットワークノード。
【請求項２６】
請求項１９乃至２５のいずれか１項に記載の無線ネットワークノードであって、前記無線ネットワークノードは更に、少なくとも１つのセルにサービスするように動作し、前記情報は、前記無線ネットワークノードによってサービスされる前記少なくとも１つのセル内で伝達される、
無線ネットワークノード。
【請求項２７】
請求項１９乃至２６のいずれか１項に記載の無線ネットワークノードであって、前記ＳＳブロックが前記ＵＥの近傍で送信される時間間隔をカバーする反復測定ウインドウが存在する、
無線ネットワークノード。
【請求項２８】
請求項１９乃至２７のいずれか１項に記載の無線ネットワークノードであって、前記測定ウインドウは、ＳＳバーストをカバーする、
無線ネットワークノード。
【請求項２９】
請求項１９乃至２７のいずれか１項に記載の無線ネットワークノードであって、前記測定ウインドウはＳＳバーストセットをカバーし、前記ウインドウオフセットは現在のサービングセルの前記ＳＳバーストセットの開始に関連し、前記ウインドウ持続時間は、前記現在のサービングセル及び関連する隣接セルのＳＳバーストセットの和集合である、
無線ネットワークノード。
【請求項３０】
請求項２９に記載の無線ネットワークノードであって、ＳＳバーストセットは１つのＳＳバーストを含み、前記測定ウインドウは、前記ＳＳバーストをカバーする、
無線ネットワークノード。
【請求項３１】
請求項１９乃至３０のいずれか１項に記載の無線ネットワークノードであって、前記無線ネットワークノードは更に、隣接無線ネットワークノードから無線ネットワークノード間同期精度のビーム掃引構成を取得するように動作する、
無線ネットワークノード。
【請求項３２】
請求項３１に記載の無線ネットワークノードであって、前記ビーム掃引構成は、
−  ＳＳバースト内のビームの数と、
−  ＳＳバーストセット内のＳＳバーストの数と、
−  ＳＳバースト間の間隔と、
−  前記隣接無線ネットワークノードのＳＳバーストセット反復周期の少なくとも近似と、
を含む、無線ネットワークノード。
【請求項３３】
請求項１９に記載の無線ネットワークノードであって、前記無線ネットワークノードは更に、前記情報を前記ＵＥに伝達するためにＲＲＣＣｏｎｎｅｃｔｉｏｎＲｅｌｅａｓｅメッセージを使用するように動作する、
無線ネットワークノード。
【請求項３４】
請求項１９乃至３３のいずれか１項に記載の無線ネットワークノードであって、前記測定ウインドウは、複数のサブウインドウに分割される、
無線ネットワークノード。
【請求項３５】
請求項３４に記載の無線ネットワークノードであって、前記情報は、サブウインドウ持続時間パラメータ及びサブウインドウ反復周期性パラメータを含む、前記測定ウインドウのための更なる構成パラメータを含む、
無線ネットワークノード。
【請求項３６】
無線ネットワークノードによってサービスされるセルにキャンプオンし、ＲＲＣ＿ＩＤＬＥ及びＲＲＣ＿ＩＮＡＣＴＩＶＥ状態のための同期信号（ＳＳ）ブロックベースのセル再選択測定のために構成されるように動作するユーザ装置（ＵＥ）であって、前記ＵＥは、処理回路及びメモリを備え、前記メモリは、前記処理回路によって実行可能な命令を含み、それによって、前記ＵＥは、
−  測定ウインドウのための構成パラメータを含む情報を前記無線ネットワークノードから受信することであって、前記構成パラメータは、ＲＲＣ＿ＩＤＬＥ及びＲＲＣ＿ＩＮＡＣＴＩＶＥ状態のための前記ＳＳブロックベースのセル再選択測定のために前記ＵＥを構成するための、ウインドウ周期性パラメータと、ウインドウオフセットパラメータと、ウインドウ持続時間パラメータとを含む、こと
を行うように動作し、
前記ＵＥは更に、ＲＲＣ＿ＣＯＮＮＥＣＴＥＤ状態からＲＲＣ＿ＩＮＡＣＴＩＶＥ又はＲＲＣ＿ＩＤＬＥ状態に切り替えるための命令の前に、又はこれに関連して、前記無線ネットワークノードから無線リソース制御（ＲＲＣ）シグナリングを介して前記情報を受信するように動作する、
ＵＥ。
【請求項３７】
請求項３６に記載のＵＥであって、前記無線ネットワークノードは、ｇＮｏｄｅＢ（ｇＮＢ）である、
ＵＥ。
【請求項３８】
請求項３６又は３７に記載のＵＥであって、前記情報は、システム情報（ＳＩ）の中で前記ＵＥに受信される、
ＵＥ。
【請求項３９】
請求項３６乃至３８のいずれか１項に記載のＵＥであって、前記ウインドウ周期性パラメータは、前記無線ネットワークノードによってサービスされる前記セル及び関連する隣接セルの中での最小のＳＳバーストセット反復周期に等しい値を有する、
ＵＥ。
【請求項４０】
請求項３６乃至３９のいずれか１項に記載のＵＥであって、前記ウインドウ周期性パラメータは、５、１０、２０、４０、８０及び１６０ミリ秒からなるグループ内で選択される値を有する、
ＵＥ。
【請求項４１】
請求項３６乃至４０のいずれか１項に記載のＵＥであって、前記ウインドウオフセットパラメータは、前記ウインドウ周期性パラメータよりも小さい、
ＵＥ。
【請求項４２】
請求項３６乃至４１のいずれか１項に記載のＵＥであって、前記ウインドウ持続時間パラメータは、構成されたウインドウ周期性パラメータより小さいか、又は等しい、
ＵＥ。
【請求項４３】
請求項３６乃至４２のいずれか１項に記載のＵＥであって、前記ＳＳブロックが前記ＵＥの近傍で送信される時間間隔をカバーする反復測定ウインドウが存在する、
ＵＥ。
【請求項４４】
請求項３６乃至４３のいずれか１項に記載のＵＥであって、前記測定ウインドウは、ＳＳバーストをカバーする、
ＵＥ。
【請求項４５】
請求項３６乃至４３のいずれか１項に記載のＵＥであって、前記測定ウインドウはＳＳバーストセットをカバーし、前記ウインドウオフセットは現在のサービングセルの前記ＳＳバーストセットの開始に関連し、前記ウインドウ持続時間は、前記現在のサービングセル及び関連する隣接セルのＳＳバーストセットの和集合である、
ＵＥ。
【請求項４６】
請求項４５に記載のＵＥであって、ＳＳバーストセットは１つのＳＳバーストを含み、前記測定ウインドウは、前記ＳＳバーストをカバーする、
ＵＥ。
【請求項４７】
請求項４６に記載のＵＥであって、前記ＵＥは更に、無線ネットワークノード間同期精度、ＳＳバーストにおけるビームの数、ＳＳバーストセットにおけるＳＳバーストの数、ＳＳバースト間の間隔、及び隣接無線ネットワークノードのＳＳバーストセット反復周期に基づいて前記測定ウインドウを構成することによって構成されるように動作し、前記無線ネットワークノード間同期精度、ＳＳバーストにおけるビームの前記数、ＳＳバーストセットにおけるＳＳバーストの前記数、前記ＳＳバースト間の間隔、及び前記隣接無線ネットワークノードの前記ＳＳバーストセット反復周期は、前記無線ネットワークノードによって提供される、
ＵＥ。
【請求項４８】
請求項３６に記載のＵＥであって、前記ＵＥは更に、前記無線ネットワークノードからＲＲＣＣｏｎｎｅｃｔｉｏｎＲｅｌｅａｓｅメッセージを介して前記情報を受信するように動作する、
ＵＥ。
【請求項４９】
請求項３６に記載のＵＥであって、前記測定ウインドウは、複数のサブウインドウに分割される、
ＵＥ。
【請求項５０】
請求項４９に記載のＵＥであって、前記情報は、サブウインドウ持続時間パラメータ及びサブウインドウ反復周期性パラメータを含む、前記測定ウインドウのための更なる構成パラメータを含む、
ＵＥ。
【請求項５１】
無線ネットワークノードによってサービスされるセルにキャンプオンするユーザ装置（ＵＥ）によって実行される、ＲＲＣ＿ＩＤＬＥ及びＲＲＣ＿ＩＮＡＣＴＩＶＥ状態のための同期信号（ＳＳ）ブロックベースのセル再選択測定のために前記ＵＥを構成する方法であって、
−  測定ウインドウのための構成パラメータを含む情報を前記無線ネットワークノードから受信することであって、前記構成パラメータは、ＲＲＣ＿ＩＤＬＥ及びＲＲＣ＿ＩＮＡＣＴＩＶＥ状態のための前記ＳＳブロックベースのセル再選択測定のために前記ＵＥを構成するための、ウインドウ周期性と、オフセットと、持続時間とを規定する、ことと、
−  ＲＲＣ＿ＣＯＮＮＥＣＴＥＤ状態からＲＲＣ＿ＩＮＡＣＴＩＶＥ又はＲＲＣ＿ＩＤＬＥ状態に切り替えるための命令の前に、又はこれに関連して、前記無線ネットワークノードから無線リソース制御（ＲＲＣ）シグナリングを介して前記情報を受信することと、
を備える、方法。
【請求項５２】
請求項５１に記載の方法であって、前記無線ネットワークノードは、ｇＮｏｄｅＢ（ｇＮＢ）である、
を備える、方法。
【請求項５３】
請求項５１又は５２に記載の方法であって、更に、前記無線ネットワークノードからシステム情報（ＳＩ）の中で前記情報を受信すること、
を備える、方法。
【請求項５４】
請求項５１乃至５３のいずれか１項に記載の方法であって、前記ウインドウ周期性は、前記無線ネットワークノードによってサービスされる前記セル及び関連する隣接セルの中での最小のＳＳバーストセット反復周期に等しい値を有する、
方法。
【請求項５５】
請求項５１乃至５４のいずれか１項に記載の方法であって、前記ウインドウ周期性は、５、１０、２０、４０、８０及び１６０ミリ秒からなるグループ内で選択される値を有する、
方法。
【請求項５６】
請求項５１乃至５５のいずれか１項に記載の方法であって、前記ウインドウオフセットは、前記ウインドウ周期性よりも小さい、
方法。
【請求項５７】
請求項５１乃至５６のいずれか１項に記載の方法であって、前記ウインドウ持続時間は、前記ウインドウ周期性より小さいか、又は等しい、
方法。
【請求項５８】
請求項５１乃至５７のいずれか１項に記載の方法であって、前記ＳＳブロックが前記ＵＥの近傍で送信される時間間隔をカバーする反復測定ウインドウが存在する、
方法。
【請求項５９】
請求項５１乃至５８のいずれか１項に記載の方法であって、前記測定ウインドウは、ＳＳバーストをカバーする、
方法。
【請求項６０】
請求項５１乃至５８のいずれか１項に記載の方法であって、前記測定ウインドウはＳＳバーストセットをカバーし、前記ウインドウオフセットは現在のサービングセルの前記ＳＳバーストセットの開始に関連し、前記ウインドウ持続時間は、前記現在のサービングセル及び関連する隣接セルのＳＳバーストセットの和集合である、
方法。
【請求項６１】
請求項６０に記載の方法であって、ＳＳバーストセットは１つのＳＳバーストを含み、前記測定ウインドウは、前記ＳＳバーストをカバーする、
方法。
【請求項６２】
請求項６１に記載の方法であって、更に、無線ネットワークノード間同期精度、ＳＳバーストにおけるビームの数、ＳＳバーストセットにおけるＳＳバーストの数、ＳＳバースト間の間隔、及び隣接無線ネットワークノードのＳＳバーストセット反復周期に基づいて前記測定ウインドウを構成することを備え、前記無線ネットワークノード間同期精度、ＳＳバーストにおけるビームの前記数、ＳＳバーストセットにおけるＳＳバーストの前記数、前記ＳＳバースト間の間隔、及び前記隣接無線ネットワークノードの前記ＳＳバーストセット反復周期は、前記無線ネットワークノードによって提供される、
方法。
【請求項６３】
請求項５１に記載の方法であって、更に、前記無線ネットワークノードからＲＲＣＣｏｎｎｅｃｔｉｏｎＲｅｌｅａｓｅメッセージを介して前記情報を受信することを備える、
方法。
【請求項６４】
請求項５１乃至６３のいずれか１項に記載の方法であって、前記測定ウインドウは、複数のサブウインドウに分割される、
方法。
【請求項６５】
請求項６４に記載の方法であって、前記情報は、サブウインドウ持続時間及びサブウインドウ反復周期性を含む、前記測定ウインドウのための更なる構成パラメータを含む、
方法。
【発明の詳細な説明】
【技術分野】
【０００１】
35 U.S.C. S.119(E)及び37 C.F.R. S.1.78に基づく優先権宣言
本非仮特許出願は「Cell Re-Selection Measurement Window in New Radio」と題する先行米国仮特許出願（出願番号６２／４７６，５６１、２０１７年３月２４日出願）に基づき、RAMACHANDRA, Pradeepa、SHEN, Wei、RUNE, Johan、及びSAHLIN, Henrikの名において優先権を主張する。
【０００２】
技術分野
本開示は一般に、無線通信に関し、より詳細には、新無線(new radio)におけるセル再選択測定に関する。
【背景技術】
【０００３】
将来の移動無線通信システムのために利用可能なスペクトルが不足しているため、１０ＧＨｚ以上のような（これまで無線通信に使用されてきた周波数と比較して）非常に高い周波数範囲に位置するスペクトルが、将来の移動通信システム（例えば、第３世代パートナーシッププロジェクト（３ＧＰＰ）によって標準化されている５Ｇシステム（そのための無線アクセスネットワーク部分は新無線(New Radio, NR)と呼ばれ、コアネットワーク部分は次世代コア(Next Generation Core, NGC)と呼ばれる）を含む、第５世代（５Ｇ））のために利用されることが計画されている。
【０００４】
このような高周波スペクトルの場合、大気、浸透(penetration)、及び回折の減衰特性は、低周波スペクトルの場合よりもはるかに悪くなる可能性がある。更に、到来する電磁波から電磁エネルギーを収集する有効受信機アンテナ面積を記述するメトリックとしての受信機アンテナ開口は、周波数に反比例する。その結果、無指向性の受信アンテナ及び送信アンテナが使用される場合、リンクバジェットは、自由空間シナリオにおいてさえ、同じリンク距離に対してより悪くなる。これは、リンクバジェットの損失を補償するためのビームフォーミングの使用を動機付け、結果として、高周波数スペクトル（例えば、＞ｇ  ＧＨｚ）において、劣悪な信号対雑音比（ＳＮＲ）／信号対干渉雑音無線（ＳＩＮＲ）をもたらす。ビームフォーミングは、送信機において、受信機において、又はその両方において使用され得る。５Ｇ配備のために計画されたスペクトルの大部分において、好ましい構成は、アクセスノード（ＡＮ）（例えば、新無線（ＮＲ）における基地局（ｇＮＢ）（ロングタームエボリューション（ＬＴＥ）におけるｅＮＢに対応するｇＮＢ）、送信／受信点(Transmit/Receive Point)又は送信／受信点(Transmission/Reception Point)（ＴＲＰ）、エボルブドノードＢ（ｅＮＢ））において大きなアンテナアレイを使用し、ユーザ装置（ＵＥ）において少数のアンテナを使用することである。アクセスノード（ＡＮ）は、ネットワークを使用する無線端末に対して無線インタフェースを提供する、セルラネットワーク又は移動通信ネットワーク内のノードのための汎用的な用語である。汎用的なアクセスノードという用語によってカバーされると見なされ得る他の用語は、例えば、ｅＮＢ、ｇＮＢ、及びＴＲＰを含む。ＡＮにおける大きなアンテナアレイは、ダウンリンクにおける高次送信ビームフォーミング(high-order transmit beamforming)を可能にする。
【０００５】
上記の理由のために、将来のシステムは高利得で狭いビームフォーミングを重く利用することが期待され、これは、より低いアンテナ利得を有する通常のセクタワイド又は全方向性ビームでは現実的にカバーされないであろう非常に遠いユーザに対しても、高いデータレート送信カバレージを可能にするであろう。
【０００６】
高又は中利得ビームフォーミングは、伝統的に主として、個々のＵＥについて達成可能なデータレートを増加させるために使用されてきた。しかしながら、５Ｇ／ＮＲの場合、ビームフォーミングは、共通制御シグナリング（即ち、特定のＵＥをターゲットとしないが、カバレージエリア内のＵＥの全て又はグループによって受信されることが意図される制御信号送信）のためにも使用されることが期待される。そのような共通制御シグナリングは、例えば、同期信号、ブロードキャストシステム情報、及び共通基準信号を含む。
【０００７】
これらの信号は本質的に、ｇＮＢ(又は場合によってはＴＲＰのグループ）がサービスすることが意図されている、例えばセルなどのカバレージエリア全体に到達しなければならない。ビーム形成された送信を使用してこの目標を達成するために、ビーム掃引として知られる概念を利用することができ、それによって、関連する信号はカバレージエリア全体（例えば、セル）がカバーされるまで、異なる方向への狭いビームの連続的な送信を使用して送信される。低いＳＮＲ／ＳＩＮＲに対処する別の方法は、情報の復号を可能にするのに十分なＳＮＲ／ＳＩＮＲを達成するのに十分なエネルギーが収集されるまで、ＵＥがソフト結合する、繰り返される広い（又は全方向性の）ビーム送信を使用することである。
【０００８】
ＮＲにおける同期信号及びシステム情報
本開示の文脈において特に興味深いのは、同期信号及びシステム情報、並びにこれらがＮＲでどのように送信されるかである。同期信号は、２つ又は場合によっては３つの成分からなる：
−  ＮＲ−ＰＳＳとも呼ばれるプライマリ同期信号（ＰＳＳ）は、１０ｐｐｍ(parts per million)に及ぶ高周波数誤差を伴うネットワーク検出を可能にし、ネットワークタイミング基準も提供するものである。
【０００９】
−  ＮＲ−ＳＳＳとも呼ばれるセカンダリ同期信号（ＳＳＳ）は、より正確な周波数調整及びチャネル推定を可能にすると同時に、物理セルアイデンティティ（ＰＣＩ）とも呼ばれる、ローカルに一意のセルアイデンティティの形で基本ネットワーク情報を提供するものである。
【００１０】
−  ターシャリ同期信号（ＴＳＳ）は、セル内のタイミング情報（例えば、セル内で送信される共通制御シグナリングビーム間）、及び／又はシンボル番号インジケーションを提供するものであり、例えば、サブフレーム境界の導出を可能にする。ＴＳＳの存在（及びそれが導入される場合にはそのフォーマット及び具体的な用途）は、３ＧＰＰにおいて依然として研究されている。
【００１１】
ＰＳＳ、ＳＳＳ、及び場合によってはＴＳＳを合わせて、同期信号（ＳＳ）と呼ぶ。
【００１２】
同期信号は、物理ブロードキャストチャネル（ＰＢＣＨ）又はＮＲ−ＰＢＣＨと呼ばれるブロードキャストチャネルと一緒に送信され、システム情報の小さいが本質的な部分（しばしばマスタ情報ブロック（ＭＩＢ）と呼ばれる）を搬送する。
【００１３】
ＳＳ及びＰＢＣＨは共に、セル内で周期的にブロードキャストされるＳＳブロック（ＳＳＢ）と呼ばれる構造を形成する。図１は、ＳＳブロックの可能なフォーマット／構造を示す。
【００１４】
システム情報の残りの部分は、１つ又は複数の他のチャネル上で定期的にブロードキャストされる。システム情報のいくつかは、全く定期的にブロードキャストされなくてもよく、代わりに、オンデマンドで要求（及び送信）されてもよい。
【００１５】
ＮＲネットワーク（ＮＷ）構成
配置に応じて、ビームフォーミングを使用して、セルのカバレージエリアにわたってＳＳＢを分散させることができる。次に、複数のＳＳＢが集約されてＳＳＢバーストを形成し、各ＳＳＢインスタンスは、カバレージを保証するために、又は後続のリンク確立のためのビーム発見サポートを提供するために、ある方向にビーム形成される。
【００１６】
上述したように、カバレージ（又はビーム発見）を改善する目的で、ＳＳブロックは、所望のエリアを一緒にカバーする複数のビームを含むビーム掃引の形態のビームフォーミングを使用して送信されてもよい。カバレージを改善するための別の手段は、広い（全方向性でさえある）ビーム送信の繰り返しである。ビーム掃引及び反復は共に、複数の送信を伴う。３ＧＰＰは、そのような複数のＳＳブロック送信のための構造について合意した。一緒にまとめられた（即ち、密な系列で送信された）多数のＳＳブロック送信は、本明細書では一般に「ＳＳバースト」と呼ばれる。「ＳＳバーストセット」という概念は、典型的には連続するＳＳバースト送信間に何らかの非ゼロ間隔を有するＳＳバーストのセットを指す（ＳＳバースト及びＳＳバーストセットの概念を示す図２を参照されたい）。３ＧＰＰでは、本明細書で言及されるＳＳブロックはＳＳ／ＰＢＣＨブロックと呼ばれる。ＳＳ／ＰＢＣＨブロックは、３ＧＰＰ仕様で規定された固定位置を有する。当業者であれば、「ＳＳバースト」及び「ＳＳバーストセット」という表現が本明細書内で使用される場合、これらの表現は、必要に応じて、３ＧＰＰのＳＳ／ＰＢＣＨブロックを指すか、又はこれに関連することを理解するのであろう。ＳＳバーストは例えば、フルビーム掃引のビーム送信から成ってもよい。しかしながら、例えば、掃引におけるビームの数が比較的多く、フルビーム掃引がＳＳバーストに対して許容される又は所望されるよりも長い時間を要するであろう場合のように、ＳＳバーストにフルビーム掃引を含まない理由もあり得る。そのような場合、ビーム掃引は、例えばＳＳバーストセットを形成する複数のＳＳバーストに分割されてもよい。ＳＳバーストの周期性、並びに掃引における特定のビームの反復間隔は構成可能であり、配備に依存し得る。これらの期間／間隔に関する全ての正確な詳細は、３ＧＰＰではまだ決定されていない。これらの期間について考慮されるいくつかの値は、５、１０、２０、４０、８０及び１６０ｍｓを含む。異なる配備シナリオについて、異なる値並びに異なる構成の可能性を決定することができ得る。
【００１７】
ＮＲにおけるセル再選択
ＬＴＥで使用されるＵＥ省エネ状態ＲＲＣ＿ＩＤＬＥ（ＲＲＣは、無線リソース制御(Radio Resource Control)を表す）に加えて、３ＧＰＰは、ＲＲＣ＿ＩＮＡＣＴＩＶＥ状態と呼ばれる別の省エネＵＥ状態を導入した。ＲＲＣ＿ＩＤＬＥ状態では、ＵＥに関連するコンテキスト情報（ＵＥコンテキスト）が無線アクセスネットワーク（ＲＡＮ）において削除され、ＲＡＮはＵＥ及びＵＥの所在についての知識を有さない。一方、ＲＲＣ＿ＩＮＡＣＴＩＶＥ状態では、ＵＥコンテキストがＲＡＮ（例えば、ｇＮＢ）に保持され、当該ＵＥのＲＡＮコアネットワーク（ＲＡＮ−ＣＮ）接続が保持される。
【００１８】
これらの２つの状態では、ＵＥは、同期信号（１つ又は複数）及びシステム情報並びに潜在的なページングシグナリングを含む、ネットワークからの関連する制御信号を監視する。セル内でそのような監視を実行するとき、ＵＥは、セルにキャンプオンしていると言われる。
【００１９】
ＲＲＣ＿ＩＤＬＥ又はＲＲＣ＿ＩＮＡＣＴＩＶＥ状態にあるＵＥは、現在のセルにキャンプオンしたままであることが適切であるか、それとも別のセル（現在のセルの隣接セルが想定される）にキャンプオンすることがより良いかを、絶えず又は繰り返し評価する。１つのセルへのキャンプオンから別のセルへのキャンプオンへの切り替えは、「セル再選択」と呼ばれるＵＥがキャンプオンするセル（例えば、キャンピングセルと示される）になる（又は残る）様々なセルの適合性を評価するために、ＵＥは現在のセル及び隣接セルのＳＳブロック送信（特に、ＰＢＣＨ上のＳＳＳ及び場合によっては復調基準信号（ＤＭＲＳ））を測定する。セルの適合性を評価し、セル再選択が実行されるべきかどうかを判定するためにＵＥが測定する信号は、以下、「セル再選択測定信号」と呼ばれる。セル再選択測定信号に関する測定に加えて、ＵＥは、キャンピングセル内のシステム情報を介してＵＥに伝達されるセル再選択ルールによってガイドされ得る。そのようなルールは例えば、セル再選択のための、及び、ＵＥが２つの隣接するセル間で絶えず再選択することを防止するためのヒステリシスのための、閾値（例えば、信号強度又は信号品質に関して）を含み得る。
【００２０】
上述したように、キャンピングＵＥがセル再選択評価のために使用する信号の周期性が非常に長い場合があり、その結果、ＵＥが隣接セルのダウンリンクを監視し、測定すべき信号を盲目的に探索する場合に、測定期間が長くなる。ＵＥの現在のセルに隣接するセルのいずれにも関連する信号は送信されないので、この時間の多く（場合によってはこの時間の大部分）は、浪費される可能性が高い。これは、ＵＥエネルギー消費の観点から費用がかかり、したがって、ＲＲＣ＿ＩＤＬＥ及びＲＲＣ＿ＩＮＡＣＴＩＶＥ状態のエネルギー節約の目的を妨げる。
【発明の概要】
【００２１】
ＲＲＣ＿ＩＤＬＥ及びＲＲＣ＿ＩＮＡＣＴＩＶＥ状態のための同期信号（ＳＳ）ブロックベースのセル再選択測定のために、無線ネットワークノードによってサービスされるセルにキャンプオンするユーザ装置（ＵＥ）を構成するための、無線ネットワークノードによって実行される方法が提供される。本方法は、測定ウインドウのための構成パラメータを含む情報をＵＥに提供することであって、構成パラメータは、ＲＲＣ＿ＩＤＬＥ及びＲＲＣ＿ＩＮＡＣＴＩＶＥ状態のためのＳＳブロックベースのセル再選択測定のためにＵＥを構成するための、ウインドウ周期性パラメータと、ウインドウオフセットパラメータと、ウインドウ持続時間パラメータとを含む、ことを備える。
【００２２】
無線ネットワークノードは、ｇＮｏｄｅＢ（ｇＮＢ）であってもよい。情報は、システム情報（ＳＩ）の中でＵＥに提供され得る。ウインドウ周期性パラメータは、無線ネットワークノードによってサービスされるセル及びこれに関連する隣接セルの中での最小のＳＳバーストセット反復周期に等しい値を有することができる。ウインドウ周期性パラメータは、５、１０、２０、４０、８０及び１６０ミリ秒からなるグループ内で選択される値を有してもよい。ウインドウオフセットパラメータは、ウインドウ周期性パラメータよりも小さくてもよい。ウインドウ持続時間パラメータは、構成されたウインドウ周期性パラメータより小さいか、又は等しくてもよい。無線ネットワークノードは、少なくとも１つのセルにサービス提供してもよく、情報は、無線ネットワークノードによってサービス提供される少なくとも１つのセルに提供され得る。ＳＳブロックがＵＥの近傍で送信される時間間隔をカバーする反復測定ウインドウが存在し得る。測定ウインドウは、ＳＳバーストをカバーすることができる。測定ウインドウはＳＳバーストセットをカバーすることができ、ウインドウオフセットは現在のサービングセルのＳＳバーストセットの開始に関連することができ、ウインドウ持続時間は、現在のサービングセル及び関連する隣接セルのＳＳバーストセットの和集合とすることができる。ＳＳバーストセットは１つのＳＳバーストを含むことができ、測定ウインドウは、ＳＳバーストをカバーすることができる。無線ネットワークノードは、隣接無線ネットワークノードから無線ネットワークノード間同期精度のビーム掃引構成を取得することができる。ビーム掃引構成は、ＳＳバースト内のビームの数と、ＳＳバーストセット内のＳＳバーストの数と、ＳＳバースト間の間隔と、隣接無線ネットワークノードのＳＳバーストセット反復周期の少なくとも近似と、を含むことができる。ＵＥを構成することは、無線ネットワークノード間同期精度、ＳＳバーストにおけるビームの数、ＳＳバーストセットにおけるＳＳバーストの数、ＳＳバースト間の間隔、及び隣接無線ネットワークノードのＳＳバーストセット反復周期に基づいて、測定ウインドウを構成することを更に含み得る。無線ネットワークノードは、ＲＲＣ＿ＣＯＮＮＥＣＴＥＤ状態からＲＲＣ＿ＩＮＡＣＴＩＶＥ又はＲＲＣ＿ＩＤＬＥ状態にＵＥを切り替える前に、又は切り替えることに関連して、ＵＥに情報を伝達するために無線リソース制御（ＲＲＣ）シグナリングを使用することができる。無線ネットワークノードは、情報をＵＥに伝達するためにＲＲＣＣｏｎｎｅｃｔｉｏｎＲｅｌｅａｓｅメッセージを使用することができる。測定ウインドウは、複数のサブウインドウに分割されてもよい。情報は、サブウインドウ持続時間パラメータ及びサブウインドウ反復周期性パラメータを含む、測定ウインドウのための更なる構成パラメータを含んでもよい。
【００２３】
ＲＲＣ＿ＩＤＬＥ及びＲＲＣ＿ＩＮＡＣＴＩＶＥ状態のための同期信号（ＳＳ）ブロックベースのセル再選択測定のために、無線ネットワークノードによってサービスされるセルにキャンプオンするユーザ装置（ＵＥ）を構成するように動作する無線ネットワークノードが提供される。無線ネットワークノードは、処理回路及びメモリを備える。メモリは処理回路によって実行可能な命令を含み、それによって、無線ネットワークノードは、測定ウインドウのための構成パラメータを含む情報をＵＥに提供するように動作可能であり、構成パラメータは、ＲＲＣ＿ＩＤＬＥ及びＲＲＣ＿ＩＮＡＣＴＩＶＥ状態のためのＳＳブロックベースのセル再選択測定のためにＵＥを構成するための、ウインドウ周期性パラメータ、ウインドウオフセットパラメータ、及びウインドウ持続時間パラメータを含む。
【００２４】
無線ネットワークノードは、ｇＮｏｄｅＢ(ｇＮＢ)であってもよい。提供される情報は、システム情報（ＳＩ）であってもよい。ウインドウ周期性パラメータは、無線ネットワークノードによってサービスされるセル及びこれに関連する隣接セルの中での最小のＳＳバーストセット反復周期に等しい値を有することができる。ウインドウ周期性パラメータは、５、１０、２０、４０、８０及び１６０ミリ秒からなるグループ内で選択される値を有してもよい。ウインドウオフセットパラメータは、ウインドウ周期性パラメータよりも小さくてもよい。ウインドウ持続時間パラメータは、構成されたウインドウ周期性パラメータより小さいか、又は等しくてもよい。無線ネットワークノードは更に、少なくとも１つのセルにサービス提供するように動作可能であり、情報は、無線ネットワークノードによってサービス提供される少なくとも１つのセルに提供され得る。ＳＳブロックがＵＥの近傍で送信される時間間隔をカバーする反復測定ウインドウが存在し得る。測定ウインドウは、ＳＳバーストをカバーすることができる。測定ウインドウはＳＳバーストセットをカバーすることができ、ウインドウオフセットは現在のサービングセルのＳＳバーストセットの開始に関連することができ、ウインドウ持続時間は、現在のサービングセル及び関連する隣接セルのＳＳバーストセットの和集合とすることができる。ＳＳバーストセットは１つのＳＳバーストを含むことができ、測定ウインドウは、ＳＳバーストをカバーすることができる。無線ネットワークノードは、隣接無線ネットワークノードから無線ネットワークノード間同期精度のビーム掃引構成を取得するように更に動作可能であってもよい。ビーム掃引構成は、ＳＳバースト内のビームの数と、ＳＳバーストセット内のＳＳバーストの数と、ＳＳバースト間の間隔と、隣接無線ネットワークノードのＳＳバーストセット反復周期の少なくとも近似と、を含むことができる。無線ネットワークノードは、ＲＲＣ＿ＣＯＮＮＥＣＴＥＤ状態からＲＲＣ＿ＩＮＡＣＴＩＶＥ又はＲＲＣ＿ＩＤＬＥ状態にＵＥを切り替える前に、又は切り替えることに関連して、ＵＥに情報を伝達するために無線リソース制御（ＲＲＣ）シグナリングを使用するように更に動作可能であり得る。無線ネットワークノードは、情報をＵＥに伝達するためにＲＲＣＣｏｎｎｅｃｔｉｏｎＲｅｌｅａｓｅメッセージを使用するように更に動作可能であり得る。測定ウインドウは、複数のサブウインドウに分割されてもよい。情報は、サブウインドウ持続時間パラメータ及びサブウインドウ反復周期性パラメータを含む、測定ウインドウのための更なる構成パラメータを含んでもよい。
【００２５】
無線ネットワークノードによってサービスされるセルにキャンプオンし、ＲＲＣ＿ＩＤＬＥ及びＲＲＣ＿ＩＮＡＣＴＩＶＥ状態のための同期信号（ＳＳ）ブロックベースのセル再選択測定のために構成されるように動作するユーザ装置（ＵＥ）が提供される。ＵＥは、処理回路及びメモリを備える。メモリは、処理回路によって実行可能な命令を含み、それによって、ＵＥは、測定ウインドウのための構成パラメータを含む情報を無線ネットワークノードから受信するように動作可能であり、構成パラメータは、ＲＲＣ＿ＩＤＬＥ及びＲＲＣ＿ＩＮＡＣＴＩＶＥ状態のためのＳＳブロックベースのセル再選択測定のためにＵＥを構成するための、ウインドウ周期性パラメータ、ウインドウオフセットパラメータ、及びウインドウ持続時間パラメータを含む。
【００２６】
無線ネットワークノードは、ｇＮｏｄｅＢ（ｇＮＢ）であってもよい。情報は、システム情報（ＳＩ）においてＵＥによって受信され得る。ウインドウ周期性パラメータは、無線ネットワークノードによってサービスされるセル及びこれに関連する隣接セルの中での最小のＳＳバーストセット反復周期に等しい値を有することができる。ウインドウ周期性パラメータは、５、１０、２０、４０、８０及び１６０ミリ秒からなるグループ内で選択される値を有してもよい。ウインドウオフセットパラメータは、ウインドウ周期性パラメータよりも小さくてもよい。ウインドウ持続時間パラメータは、構成されたウインドウ周期性パラメータより小さいか、又は等しくてもよい。ＳＳブロックがＵＥの近傍で送信される時間間隔をカバーする反復測定ウインドウが存在し得る。測定ウインドウは、ＳＳバーストをカバーすることができる。測定ウインドウはＳＳバーストセットをカバーすることができ、ウインドウオフセットは現在のサービングセルのＳＳバーストセットの開始に関連することができ、ウインドウ持続時間は、現在のサービングセル及び関連する隣接セルのＳＳバーストセットの和集合とすることができる。ＳＳバーストセットは１つのＳＳバーストを含むことができ、測定ウインドウは、ＳＳバーストをカバーすることができる。ＵＥは更に、無線ネットワークノード間同期精度、ＳＳバーストにおけるビームの数、ＳＳバーストセットにおけるＳＳバーストの数、ＳＳバースト間の間隔、及び隣接無線ネットワークノードのＳＳバーストセット反復周期に基づいて測定ウインドウを構成することによって構成されるように動作可能であってもよい。無線ネットワークノード間同期精度、ＳＳバーストにおけるビームの数、ＳＳバーストセットにおけるＳＳバーストの数、ＳＳバースト間の間隔、及び隣接無線ネットワークノードのＳＳバーストセット反復周期は、無線ネットワークノードによって提供される。ＵＥは、ＲＲＣ＿ＣＯＮＮＥＣＴＥＤ状態からＲＲＣ＿ＩＮＡＣＴＩＶＥ又はＲＲＣ＿ＩＤＬＥ状態に切り替えるための命令の前に、又はこれと共に、無線ネットワークノードから無線リソース制御（ＲＲＣ）シグナリングを介して情報を受信するように更に動作可能であり得る。ＵＥは、無線ネットワークノードからＲＲＣＣｏｎｎｅｃｔｉｏｎＲｅｌｅａｓｅメッセージを介して情報を受信するように更に動作可能であり得る。測定ウインドウは、ＳＳバーストウインドウごとの構成を可能にするために、複数のサブウインドウに分割されてもよい。情報は、サブウインドウ持続時間パラメータ及びサブウインドウ反復周期性パラメータを含む、測定ウインドウのための更なる構成パラメータを含んでもよい。
【図面の簡単な説明】
【００２７】
【図１】図１は、特定の実施形態によるＳＳブロックのフォーマット／構造の概略図である。
【図２】図２は、ＳＳバースト及びＳＳバーストセットの概念の概略図である。
【図３】図３は、セル再選択測定ウインドウの２つの変形例の原理の概略図である。
【図４】図４は、反復セル再選択測定ウインドウを構成するときに関連するパラメータの概略図である。
【図５】図５は、関与するセル間でＳＳバースト間の期間が異なる例を示す。
【図６】図６は、関与するセル間でＳＳバースト間の期間が等しい例を示す。
【図７】図７は、特定の実施形態によるネットワークの一実施形態を示す概略ブロック図である。
【図８】図８は、特定の実施形態による例示的な無線デバイスの概略ブロック図である。
【図９】図９は、特定の実施形態による例示的なネットワークノードの概略ブロック図である。
【図１０】図１０は、特定の実施形態による、例示的な無線ネットワークコントローラ又はコアネットワークノードの概略ブロック図である。
【図１１】図１１は、特定の実施形態による例示的な無線デバイスの概略ブロック図である。
【図１２】図１２は、特定の実施形態による例示的なネットワークノードの概略ブロック図である。
【図１３】図１３は、特定の実施形態による方法のフローチャートである。
【発明を実施するための形態】
【００２８】
特定の実施形態は、キャンピングＵＥがセル再選択測定信号のためにダウンリンクを監視するのに費やす時間を低減する役割を果たし、それによって、ＵＥにおけるエネルギーを節約する。
２つの状況が、特定の実施形態に関連する：
−  ５Ｇシステムが配備されるときに極めて一般的になるであろうと想定されるネットワーク配備シナリオは、近隣ノード（例えば、ｇＮＢ）が、ＳＳバーストセット送信の開始を含めて（厳密に又は大まかに）同期されるネットワークである。
−  上記で識別された潜在的なＳＳバーストセット周期性時間によって暗示されるように、ＳＳバーストセット周期性は（おそらく、配備シナリオに依存して）異なるセルにおいて異なり得るが、それらは常に、互いに等しいか、又は倍数である。
【００２９】
これらの状況は、キャンピングＵＥのセル再選択測定に関連する全ての信号が、隣接セル（又はサービングセル）のいずれにおいてもそのような信号が送信されないときの間の期間で繰り返される制限された間隔に制限されることを暗示する。
【００３０】
特定の実施形態は、このことを、ｇＮＢにＲＲＣ＿ＩＤＬＥ又はＲＲＣ＿ＩＮＡＣＴＩＶＥ状態にあるＵＥを反復測定ウインドウで構成させることにより活用する(leverage)。反復測定ウインドウは、セル再選択測定信号が送信される時間間隔をカバーするが、近隣（即ち、隣接セル及びサービングセル）に測定すべきＳＳブロック送信がない時間間隔（即ち、セル再選択評価の目的に関係する信号（例えば、ＳＳＳ及び場合によってはＰＢＣＨ上のＤＭＲＳ、両方ともＳＳブロックの一部である）を測定するために現在及び隣接セルのダウンリンクを監視することが、ＲＲＣ＿ＩＤＬＥ又はＲＲＣ＿ＩＮＡＣＴＩＶＥ状態にあるＵＥにとって無意味である時間間隔）を除外する。
【００３１】
本開示の特定の実施形態は、１つ又は複数の技術的利点を提供することができる。例えば、特定の実施形態は、ＲＲＣ＿ＩＮＡＣＴＩＶＥ又はＲＲＣ＿ＩＤＬＥ状態にあるＵＥがエネルギーを節約することを可能にするが、このことは、キャンピングのための各セルの適合性を評価すること、及びセル再選択が実行されるべきかどうかを判定することを目的として、現在及び隣接セルにおいてダウンリンクを監視し、ダウンリンク信号に対して測定を実行するのに費やす時間を、最小化することによってなされる。他の利点は、当業者には容易に明らかであろう。特定の実施形態は、列挙された利点のいずれも有さないか、いくつかを有するか、又は全てを有し得る。
【００３２】
図３は、特定の実施形態による、ＳＳバースト測定ウインドウ毎及びＳＳバーストセット測定ウインドウ毎の、セル再選択測定ウインドウの２つの変形例の原理を示す。
【００３３】
そのような測定ウインドウがどのように定義され得るかについての原理を更に説明するために、関連する構成パラメータが図４に示されており、ここでは、ＳＳバーストセット毎に１つのＳＳバーストと、ＳＳバーストセットごとに構成された測定ウインドウ（この例ではＳＳバーストセットは単一のＳＳバーストからなるので、実際にはＳＳバーストごとの測定ウインドウに等しい）とを有する単純な例を使用している。図４は、ＳＳバーストセットが単一のＳＳバーストからなる例示的なシナリオにおいて反復セル再選択測定ウインドウを構成するときに関連するパラメータの概略図である。この例において、セルＡは、関連するＵＥの現在のキャンピングセルであり、セルＢ及びＣは、セルＡの隣接セルである。
【００３４】
したがって、ｇＮＢは、隣接セル／ｇＮＢのビーム掃引構成（ＳＳバースト内のビームの数、ＳＳバーストセット内のＳＳバーストの数、ＳＳバースト間間隔、及びＳＳバーストセット反復期間に関して）を認識しなければならず、ｇＮＢ間同期精度を（少なくとも大雑把に）認識しなければならない。ＳＭＴＣウインドウ構成演算を実行するためには、ｇＮＢ間同期（及び高精度）が必要である。ＳＳブロックベースの測定は、周波数間及び周波数内の測定のために使用される。ｇＮＢは、隣接ｇＮＢ間のタイミング及び／又はＳＳバースト／ＳＳバーストセット構成又はビーム掃引構成情報の、構成及び／又は交換から、この認識を得る。
【００３５】
この情報に基づいて、ｇＮＢは、ｇＮＢ間同期不正確性、ＳＳバースト内のビームの数、ＳＳバーストセット内のＳＳバーストの数、ＳＳバースト間の間隔、及び隣接セル／ｇＮＢのＳＳバーストセット反復周期を考慮に入れる反復測定ウインドウを用いて、ｇＮＢによってサービスされるセルにキャンプオンしているＲＲＣ＿ＩＤＬＥ又はＲＲＣ＿ＩＮＡＣＴＩＶＥ状態のＵＥを構成する。ｇＮＢは、それがサービスするセル（１つ又は複数）のシステム情報に測定ウインドウ構成パラメータを含めることによって、測定ウインドウ構成をキャンピングＵＥに伝達する。オプションとして、ｇＮＢは、例えば、ＲＲＣ＿ＣＯＮＮＥＣＴＥＤ状態からＲＲＣ＿ＩＮＡＣＴＩＶＥ又はＲＲＣ＿ＩＤＬＥ状態へのＵＥの切り替え（例えば、ＲＲＣＣｏｎｎｅｃｔｉｏｎＲｅｌｅａｓｅメッセージを使用する）の前に、又はそれに関連して、測定ウインドウ構成をＵＥに伝達するために、専用シグナリング（例えば、ＲＲＣシグナリング）を使用することもできる。
【００３６】
ｇＮＢによって構成される全体測定ウインドウは、関与するセル（即ち、測定ウインドウ構成パラメータが送信されるセル、即ち、構成パラメータを受信するＵＥのキャンピングセル、及びこのセルに隣接するセル）のＳＳバーストセットに適合され、関与するセルの最小のＳＳバーストセット反復周期に等しい反復周期で反復される。
【００３７】
全体測定ウインドウは、ＳＳバーストごとのウインドウ構成を可能にするために、いくつかのサブウインドウに細分化されてもよい（即ち、サブウインドウは、関連するセルにおけるＳＳバースト送信をカバーすることが意図される）。したがって、セル再選択測定ウインドウは、以下の構成可能なパラメータを有することができる（これらのパラメータが有利な例として見られるべきであるが、本質的に同じ目的を達成する他の構成パラメータも考えられることに留意されたい）：
−  全体ウインドウ長：  ＷＴｏｔａｌＬｅｎｇｔｈ（関与するセルのＳＳバーストセットの和集合に一致する）；
−  現在のセルのＳＳバーストセットの開始に対するオフセット：  ＷＯｆｆｓｅｔ；
−  全体ウインドウ反復周期：  ＷＰｅｒｉｏｄ（関与するセルの中で最小のＳＳバーストセット反復周期に一致する）；
−  オプション：  サブウインドウ長：  ＷＳｕｂｗｉｎｄｏｗＬｅｎｇｔｈ（関与するセルのＳＳバーストの長さ及びタイムオフセットに適合される）；
−  オプション：  サブウインドウ反復周期ＷＳｕｂｗｉｎｄｏｗＰｅｒｉｏｄ。３ＧＰＰは、ＳＳバーストセット内のＳＳバースト間期間が固定される（即ち、全てのセルにおいて常に同じ値である）ことを指定することができる。その場合、ＷＳｕｂｗｉｎｄｏｗＰｅｒｉｏｄパラメータは冗長になり、省略することができる。
【００３８】
図４には、ウインドウ持続時間又は長さがウインドウ期間よりも小さいか又は等しいことが明確に示されている。図４にも示されている値５、１０、２０、４０、８０、１６０は、ＳＳブロックバーストセット周期値として知られている。
【００３９】
ウインドウ期間パラメータは、ＵＥによって検出されたサービングセル及び隣接セルの両方からのＳＳブロックバーストセット周期性から導出され、その結果、ＵＥは１つの期間内に全てのセル上で測定することができる。
【００４０】
ＳＳバースト毎のサブウインドウ構成はオプションであってもよく、有用な／意味のあるサブウインドウ構成が常に達成されるとは限らない。いくつかの実施形態において有用な／意味のあるＳＳバースト毎のサブウインドウ構成が実現可能であるためには、以下の条件を満たすことができる：
−  ＳＳバースト間には、「サイレント」である（即ち、セル再選択測定信号の送信がない）期間が全ての関係するセルにおいて同時に存在し得る。これは、次のことを必要とする：
○  ＳＳバーストセット内のＳＳバースト間反復間隔が、関連する全てのセルにおいて同じである。
○  ＳＳバーストの長さ及び反復間隔に関するｇＮＢ間同期精度が、異なるセル内のＳＳバーストが共通のサイレント期間が消滅するほど互いに対して大きくスライドすることを防止するのに十分良好である。
【００４１】
必要な情報がない場合、又はｇＮＢ間同期の不正確さが大きすぎる（例えば、相関がない）場合、測定ウインドウは構成されず、又はその反復周期と同じ長さを有する測定ウインドウ（即ち、本質的に連続した測定ウインドウ）が構成される。
【００４２】
図５は、ＳＳバースト間期間が関与するセル間で異なり、測定ウインドウがＳＳバーストセットごとにのみ構成される一方で、オプションのサブウインドウ構成が省略される、例を示す。
【００４３】
図６は、ＳＳバースト間期間が関与するセル間で等しく、測定ウインドウがＳＳバーストセットごとの全体測定ウインドウとして構成され、各全体測定ウインドウがＳＳバーストごとの粒度を有するいくつかのサブウインドウに分割される例を示す。
【００４４】
特定の実施形態では、ネットワーク（例えば、ｇＮＢ）は、セル再選択測定のための信号が利用可能でない期間中にキャンピングＵＥが隣接セル（及び現在のセル）におけるセル再選択測定信号を監視及び測定しようと試みることを回避するように、反復セル再選択測定ウインドウによりＲＲＣ＿ＩＤＬＥ又はＲＲＣ＿ＩＮＡＣＴＩＶＥ状態にあるキャンピングＵＥを構成する。このような反復測定ウインドウは、セル再選択測定信号が送信される時間間隔をカバーするが、近隣（即ち、隣接セル及びサービングセル）に測定すべきセル再選択測定信号の送信（例えば、ＳＳブロックの送信）がない時間間隔（即ち、セル再選択評価の目的に関係する信号（例えば、ＳＳＳ及び場合によってはＰＢＣＨ上のＤＭＲＳ、両方ともＳＳブロックの一部である）を測定するために現在及び隣接セルのダウンリンクを監視することが、ＲＲＣ＿ＩＤＬＥ又はＲＲＣ＿ＩＮＡＣＴＩＶＥ状態にあるＵＥにとって無意味である時間間隔）を除外するように、構成される。
【００４５】
キャンピングＵＥは、ＲＲＣ＿ＣＯＮＮＥＣＴＥＤ状態からＲＲＣ＿ＩＮＡＣＴＩＶＥ又はＲＲＣ＿ＩＤＬＥ状態への切り替えの前に、又はそれに関連して、システム情報を介して、又は場合によっては専用シグナリングを介して、セル再選択測定ウインドウ構成を受信する。ＵＥは、同じセルにキャンプオンしたままで、現在のセル及び隣接セルにおけるセル再選択測定信号に関するそのダウンリンク監視及び測定を最適化する（ＵＥがこれらのアクティビティを実行するために費やさなければならない時間を最小限に抑えるために）ために、受信されたセル再選択測定ウインドウ構成を利用する。
【００４６】
図７は、特定の実施形態によるネットワーク１００の一実施形態を示す概略ブロック図である。ネットワーク１００は、１つ又は複数のＵＥ１１０（本明細書では互換的に無線デバイス１１０又はモバイル１１０と呼ばれることがある）と、１つ又は複数のネットワークノード１１５（互換的にアクセスノード、ｅＮＢ、ｇＮＢ、又はＴＲＰと呼ばれることがある）とを含む。ＵＥ１１０は、無線インタフェースを介してネットワークノード１１５と通信することができる。例えば、ＵＥ１１０は、ネットワークノード１１５のうちの１つ又は複数に無線信号を送信し、及び／又はネットワークノード１１５のうちの１つ又は複数から無線信号を受信することができる。無線信号は、音声トラフィック、データトラフィック、制御信号、システム情報、及び／又は任意の他の適切な情報を含み得る。いくつかの実施形態では、ネットワークノード１１５に関連する無線信号カバレージのエリアがセル１２５と呼ばれ得る。いくつかの実施形態では、ＵＥ１１０がデバイスツーデバイス（Ｄ２Ｄ）機能を有し得る。したがって、ＵＥ１１０は、別のＵＥから信号を受信すること、及び／又は別のＵＥに信号を直接送信することが可能であり得る。
【００４７】
いくつかの実施形態では、ネットワークノード１１５が無線ネットワークコントローラとインタフェースすることができる。無線ネットワークコントローラは、ネットワークノード１１５を制御することができ、何らかの無線リソース管理機能、モビリティ管理機能、及び／又は他の適切な機能を提供することができる。いくつかの実施形態では、無線ネットワークコントローラの機能がネットワークノード１１５に含まれてもよい。無線ネットワークコントローラは、コアネットワークノードとインタフェースすることができる。いくつかの実施形態では、無線ネットワークコントローラが相互接続ネットワーク１２０を介してコアネットワークノードとインタフェースすることができる。相互接続ネットワーク１２０は、オーディオ、ビデオ、信号、データ、メッセージ、又はこれらの任意の組合せを送信することができる任意の相互接続システムを指すことができる。相互接続ネットワーク１２０は、公衆交換電話網（ＰＳＴＮ）、パブリック又はプライベートデータネットワーク、ローカルエリアネットワーク（ＬＡＮ）、メトロポリタンエリアネットワーク（ＭＡＮ）、ワイドエリアネットワーク（ＷＡＮ）、インターネットなどのローカル、地域、又はグローバルの通信又はコンピュータのネットワーク、有線又は無線ネットワーク、企業イントラネット、又はそれらの組合せを含む任意の他の適切な通信リンクの、全て又は一部を含むことができる。
【００４８】
いくつかの実施形態では、コアネットワークノードは、ＵＥ１１０のために、通信セッションの確立及び様々な他の機能を管理することができる。ＵＥ１１０は、非アクセスストラタムレイヤを使用してコアネットワークノードと何らかの信号を交換することができる。非アクセスストラタムシグナリングでは、ＵＥ１１０とコアネットワークノードとの間の信号は、無線アクセスネットワークを透過的に通過することができる。いくつかの実施形態では、ネットワークノード１１５は、例えばＸ２インタフェースなどのノード間インタフェースを介して１つ又は複数のネットワークノードとインタフェースすることができる。
【００４９】
上述のように、ネットワーク１００の例示的な実施形態は、１つ又は複数の無線デバイス１１０と、無線デバイス１１０と（直接的又は間接的に）通信することができる１つ又は複数の異なるタイプのネットワークノードとを含むことができる。
【００５０】
いくつかの実施形態では、非限定的な用語であるＵＥが使用される。本明細書で説明されるＵＥ１１０は、無線信号を介してネットワークノード１１５又は別のＵＥと通信することができる任意のタイプの無線デバイスであり得る。ＵＥ１１０はまた、無線通信デバイス、ターゲットデバイス、Ｄ２Ｄ  ＵＥ、マシンタイプ通信ＵＥ、又はマシンツーマシン通信（Ｍ２Ｍ）が可能なＵＥ、低コスト及び／又は低複雑度ＵＥ、ＵＥを装備したセンサ、タブレット、モバイル端末、スマートフォン、ラップトップ埋め込み型（ＬＥＥ）、ラップトップマウント機器（ＬＭＥ）、ＵＳＢドングル、顧客宅内機器（ＣＰＥ）などであり得、ＵＥ１１０は、そのサービングセルに関して通常カバレージ又は強化カバレージのいずれかの下で動作し得る。強化カバレージは、拡張カバレージと互換的に呼ばれ得る。ＵＥ１１０は、複数のカバレージレベル（例えば、通常カバレージ、強化カバレージレベル１、強化カバレージレベル２、強化カバレージレベル３など）で動作することもできる。場合によっては、ＵＥ１１０がカバレッジ外シナリオで動作することもできる。
【００５１】
また、いくつかの実施形態では、一般的な用語「無線ネットワークノード」（又は単に「ネットワークノード」）又はアクセスノードが使用される。これは、任意の種類のネットワークノードであってよく、基地局（ＢＳ）、無線基地局、ノードＢ、ＭＳＲ  ＢＳのようなマルチスタンダード無線（ＭＳＲ）無線ノード、ｅｖｏｌｖｅｄ  Ｎｏｄｅ  Ｂ（ｅＮＢ）、ｇＮｏｄｅＢ（ｇＮＢ）、ＴＲＰ、ネットワークコントローラ、無線ネットワークコントローラ（ＲＮＣ）、基地局コントローラ（ＢＳＣ）、リレーノード、リレードナーノード制御リレー、基地トランシーバ局（ＢＴＳ）、アクセスポイント（ＡＰ）、無線アクセスポイント、送信ポイント、送信ノード、リモート無線ユニット（ＲＲＵ）、リモート無線ヘッド（ＲＲＨ）、分散アンテナシステム（ＤＡＳ）内のノード、マルチセル／マルチキャストコーディネーションエンティティ（ＭＣＥ）、コアネットワークノード（例えば、ＭＳＣ、ＭＭＥなど）、Ｏ＆Ｍ、ＯＳＳ、ＳＯＮ、測位ノード（例えば、Ｅ−ＳＭＬＣ）、ＭＤＴ、又は任意の他の適切なネットワークノードを含み得る。
【００５２】
ネットワークノード及びＵＥのような用語は非限定的であると考えられるべきであり、特に、２つの間における何らかの階層的関係を示唆するものではない。一般的に、「ｅＮｏｄｅＢ」はデバイス１及び「ＵＥ」デバイス２と考えることができ、これらの２つのデバイスは、何らかの無線チャネルを介して互いに通信する。
【００５３】
ＵＥ１１０、ネットワークノード１１５、及び他のネットワークノード（無線ネットワークコントローラ又はコアネットワークノードなど）の例示的な実施形態を、図８〜図１２に関して以下でより詳細に説明する。そのようなＵＥ及びネットワークノードは、図１〜図６に関して上で説明され、図１３に関して以下で説明される、セル再選択測定ウインドウを実装することができる。
【００５４】
図７はネットワーク１００の特定の構成を示すが、本開示は本明細書で説明される様々な実施形態が任意の適切な構成を有する様々なネットワークに適用され得ることを企図する。例えば、ネットワーク１００は、任意の適切な数のＵＥ１１０及びネットワークノード１１５、並びにＵＥ間又はＵＥと別の通信デバイス（陸線電話など）との間の通信をサポートするのに適切な任意の追加のエレメントを含むことができる。更に、いくつかの実施形態はＮＲネットワークにおいて実装されるものとして説明されてもよいが、実施形態は、任意の適切な通信規格（５Ｇ規格を含む）をサポートし、任意の適切なコンポーネントを使用する任意の適切なタイプの電気通信システムにおいて実装されてもよく、ＵＥが信号（例えば、データ）を受信及び／又は送信する任意の無線アクセス技術（ＲＡＴ）又はマルチＲＡＴシステムに適用可能である。例えば、本明細書で説明される様々な実施形態は、ＬＴＥ、ＬＴＥ−Ａｄｖａｎｃｅｄ、ＮＲ、５Ｇ、ＵＭＴＳ、ＨＳＰＡ、ＧＳＭ、ｃｄｍａ２０００、ＷＣＤＭＡ、ＷｉＭａｘ、ＵＭＢ、ＷｉＦｉ、別の適切な無線アクセス技術、又は１つ又は複数の無線アクセス技術の任意の適切な組合せに適用可能であり得る。特定の実施形態はＤＬにおける無線送信のコンテキストで説明される場合があるが、本開示は、様々な実施形態がＵＬにおいて等しく適用可能であることを企図する。
【００５５】
図８は、特定の実施形態による、例示的な無線デバイス１１０の概略ブロック図である。無線デバイス１１０は、セルラ又はモバイル通信システム内のノード及び／又は別の無線デバイスと通信する任意のタイプの無線デバイスを指すことができる。無線デバイス１１０の例には、移動電話、スマートフォン、ＰＤＡ(Personal Digital Assistant)、ポータブルコンピュータ（たとえば、ラップトップ、タブレット）、センサ、アクチュエータ、モデム、マシンタイプコミュニケーション（ＭＴＣ）デバイス／マシンツーマシン（Ｍ２Ｍ）デバイス、ラップトップ埋め込み機器（ＬＥＥ）、ラップトップマウント機器（ＬＭＥ）、ＵＳＢドングル、Ｄ２Ｄ対応デバイス、又は無線通信を提供することができる別のデバイスが含まれる。いくつかの実施形態では、無線デバイス１１０がＵＥ、ステーション（ＳＴＡ）、デバイス、又は端末とも呼ばれ得る。無線デバイス１１０は、トランシーバ９１０、処理回路９２０、及びメモリ９３０を含む。いくつかの実施形態では、トランシーバ９１０が（例えば、アンテナ９４０を介した）ネットワークノード１１５への無線信号の送信及びネットワークノード１１５からの無線信号の受信を促進し、処理回路９２０は無線デバイス１１０によって提供されるものとして上述した機能の一部又は全てを提供するための命令を実行し、メモリ９３０は処理回路９２０によって実行される命令を保存する。
【００５６】
処理回路９２０は、図１〜図７に関連して上で説明され、図１３に関連して以下で説明される、無線デバイス１１０の機能など、ワイヤレスデバイス１１０の説明された機能の一部又は全部を実行するために、命令を実行してデータを操作するために、１つ又は複数のモジュールにおいて実装されるハードウェア及びソフトウェアの任意の適切な組み合わせを含み得る。いくつかの実施形態では、処理回路９２０が例えば、１つ又は複数のコンピュータ、１つ又は複数の中央処理装置（ＣＰＵ）、１つ又は複数のマイクロプロセッサ、１つ又は複数のアプリケーション、１つ又は複数の特定用途向け集積回路（ＡＳＩＣ）、１つ又は複数のフィールドプログラマブルゲートアレイ（ＦＰＧＡ）、及び／又は他のロジックを含み得る。
【００５７】
メモリ９３０は一般に、コンピュータプログラム、ソフトウェア、アプリケーション（ロジック、ルール、アルゴリズム、コード、テーブルなどのうちの１つ又は複数を含む）、及び／又は処理回路９２０によって実行されることが可能な他の命令などの、命令を格納するように動作可能である。メモリ９３０の例は、コンピュータメモリ（例えば、ランダムアクセスメモリ（ＲＡＭ）又はリードオンリメモリ（ＲＯＭ））、大容量記憶媒体（例えば、ハードディスク）、リムーバブル記憶媒体（例えば、コンパクトディスク（ＣＤ）又はデジタルビデオディスク（ＤＶＤ））、及び／又は、処理回路９２０によって使用され得る情報、データ、及び／又は命令を記憶する任意の他の揮発性又は不揮発性の、非一時的なコンピュータ可読及び／又はコンピュータ実行可能メモリデバイスを含む。
【００５８】
無線デバイス１１０の他の実施形態は、上述の機能のうちのいずれか、及び／又は（上述のソリューションをサポートするために必要な任意の機能を含む）任意の追加の機能を含む、無線デバイスの機能のある態様を提供することを担い得る、図８に示されるものを超える追加のコンポーネントを含み得る。単なる一例として、無線デバイス１１０は、入力デバイス及び回路と、出力デバイスと、処理回路９２０の一部であり得る１つ又は複数の同期ユニット又は回路と、を含み得る。入力デバイスは、無線デバイス１１０にデータを入力するための機構を含む。例えば、入力デバイスは、マイクロフォン、入力エレメント、ディスプレイなどの入力機構を含むことができる。出力デバイスは、オーディオ、ビデオ、及び／又はハードコピーフォーマットでデータを出力するための機構を含み得る。例えば、出力デバイスは、スピーカ、ディスプレイなどを含むことができる。無線デバイス１１０は、電源を更に含み得る。
【００５９】
ユーザ装置（ＵＥ）１１０は、無線ネットワークノード１１５によってサービスされるセルにキャンプオンし、ＲＲＣ＿ＩＤＬＥ及びＲＲＣ＿ＩＮＡＣＴＩＶＥ状態のための同期信号（ＳＳ）ブロックベースのセル再選択測定のために構成されるように動作する。ＵＥ１１０は、処理回路９２０及びメモリ９３０を備える。メモリ９３０は、処理回路９２０によって実行可能な命令を含み、それによって、ＵＥ１１０は、測定ウインドウのための構成パラメータを含む情報を無線ネットワークノード１１５から受信するように動作可能であり、構成パラメータは、ＲＲＣ＿ＩＤＬＥ及びＲＲＣ＿ＩＮＡＣＴＩＶＥ状態のためのＳＳブロックベースのセル再選択測定のためにＵＥを構成するための、ウインドウ周期性パラメータ、ウインドウオフセットパラメータ、及びウインドウ持続時間パラメータを含む。
【００６０】
無線ネットワークノードは、ｇＮｏｄｅＢ（ｇＮＢ）であってもよい。情報は、システム情報（ＳＩ）においてＵＥによって受信され得る。ウインドウ周期性パラメータは、無線ネットワークノードによってサービスされるセル及びこれに関連する隣接セルの中での最小のＳＳバーストセット反復周期に等しい値を有することができる。ウインドウ周期性パラメータは、５、１０、２０、４０、８０及び１６０ミリ秒からなるグループ内で選択される値を有してもよい。ウインドウオフセットパラメータは、ウインドウ周期性パラメータよりも小さくてもよい。ウインドウ持続時間パラメータは、構成されたウインドウ周期性パラメータより小さいか、又は等しくてもよい。ＳＳブロックがＵＥの近傍で送信される時間間隔をカバーする反復測定ウインドウが存在し得る。測定ウインドウは、ＳＳバーストをカバーすることができる。測定ウインドウはＳＳバーストセットをカバーすることができ、ウインドウオフセットは現在のサービングセルのＳＳバーストセットの開始に関連することができ、ウインドウ持続時間は、現在のサービングセル及び関連する隣接セルのＳＳバーストセットの和集合とすることができる。ＳＳバーストセットは１つのＳＳバーストを含むことができ、測定ウインドウは、ＳＳバーストをカバーすることができる。ＵＥは更に、無線ネットワークノード間同期精度、ＳＳバーストにおけるビームの数、ＳＳバーストセットにおけるＳＳバーストの数、ＳＳバースト間の間隔、及び隣接無線ネットワークノードのＳＳバーストセット反復周期に基づいて測定ウインドウを構成することによって構成されるように動作可能であってもよい。無線ネットワークノード間同期精度、ＳＳバーストにおけるビームの数、ＳＳバーストセットにおけるＳＳバーストの数、ＳＳバースト間の間隔、及び隣接無線ネットワークノードｓのＳＳバーストセット反復周期は、無線ネットワークノードによって提供される。ＵＥは、ＲＲＣ＿ＣＯＮＮＥＣＴＥＤ状態からＲＲＣ＿ＩＮＡＣＴＩＶＥ又はＲＲＣ＿ＩＤＬＥ状態に切り替えるための命令の前に、又はこれと共に、無線ネットワークノードから無線リソース制御（ＲＲＣ）シグナリングを介して情報を受信するように更に動作可能であり得る。ＵＥは、無線ネットワークノードからＲＲＣＣｏｎｎｅｃｔｉｏｎＲｅｌｅａｓｅメッセージを介して情報を受信するように更に動作可能であり得る。測定ウインドウは、ＳＳバーストウインドウごとの構成を可能にするために、複数のサブウインドウに分割されてもよい。情報は、サブウインドウ持続時間パラメータ及びサブウインドウ反復周期性パラメータを含む、測定ウインドウのための更なる構成パラメータを含んでもよい。
【００６１】
図９は、特定の実施形態による、例示的なネットワークノード１１５の概略ブロック図である。ネットワークノード１１５は、ＵＥ及び／又は別のネットワークノードと通信する任意のタイプの無線ネットワークノード又は任意のネットワークノードであり得る。ネットワークノード１１５の例は、アクセスノード、ｅＮｏｄｅＢ、ｇＮＢ、ノードＢ、ＴＲＰ、基地局、無線アクセスポイント（例えば、Ｗｉ−Ｆｉアクセスポイント）、低電力ノード、基地トランシーバ局（ＢＴＳ）、リレー、ドナーノード制御リレー、送信ポイント、送信ノード、リモートＲＦユニット（ＲＲＵ）、リモート無線ヘッド（ＲＲＨ）、ＭＳＲ  ＢＳなどのマルチスタンダード無線（ＭＳＲ）無線ノード、分散アンテナシステム（ＤＡＳ）内のノード、Ｏ＆Ｍ、ＯＳＳ、ＳＯＮ、測位ノード（例えば、Ｅ−ＳＭＬＣ）、ＭＤＴ、又は任意の他の適切なネットワークノードを含む。ネットワークノード１１５は、同種配備、異種配備、又は混合配備としてネットワーク１００全体にわたって配備され得る。同種配備は一般に、同じ（又は同様の）タイプのネットワークノード１１５及び／又は同様のカバレージ及びセルサイズ及びサイト間距離から構成される配備を記述することができる。異種配備は一般に、異なるセルサイズ、送信電力、容量、及びサイト間距離を有する様々なタイプのネットワークノード１１５を使用する配備を記述することができる。例えば、異種配備は、マクロセルレイアウト全体にわたって配置された複数の低電力ノードを含むことができる。混合配備は、同種部分と異種部分との混合を含むことができる。
【００６２】
ネットワークノード１１５は、トランシーバ１０１０、処理回路１０２０、メモリ１０３０、及びネットワークインタフェース１０４０のうちの１つ又は複数を含むことができる。いくつかの実施形態では、トランシーバ１０１０が（例えば、アンテナ１０５０を介して）無線デバイス１１０との無線信号の送受信を促進し、処理回路１０２０はネットワークノード１１５によって提供されるように上述した機能の一部又は全てを提供する命令を実行し、メモリ１０３０は処理回路１０２０によって実行される命令を保存し、ネットワークインタフェース１０４０は、バックエンドネットワークコンポーネント（ゲートウェイ、スイッチ、ルータ、インターネット、公衆交換電話網（ＰＳＴＮ）、コアネットワークノード、又は無線ネットワークコントローラ１３０など）に信号を通信する。
【００６３】
処理回路１０２０は、図１〜図７に関連して上で説明され、図１３に関連して以下で説明されるような、ネットワークノード１１５の説明された機能の一部又は全部を実行するために、命令を実行してデータを操作するために、１つ又は複数のモジュールにおいて実装されるハードウェア及びソフトウェアの任意の適切な組み合わせを含み得る。いくつかの実施形態では、処理回路１０２０が例えば、１つ又は複数のコンピュータ、１つ又は複数の中央処理装置（ＣＰＵ）、１つ又は複数のマイクロプロセッサ、１つ又は複数のアプリケーション、及び／又は他のロジックを含み得る。
【００６４】
メモリ１０３０は一般に、コンピュータプログラム、ソフトウェア、アプリケーション（ロジック、ルール、アルゴリズム、コード、テーブルなどのうちの１つ又は複数を含む）、及び／又は処理回路１０２０によって実行されることが可能な他の命令などの、命令を格納するように動作可能である。メモリ１０３０の例は、コンピュータメモリ（例えば、ランダムアクセスメモリ（ＲＡＭ）又はリードオンリメモリ（ＲＯＭ））、大容量記憶媒体（例えば、ハードディスク）、リムーバブル記憶媒体（例えば、コンパクトディスク（ＣＤ）又はデジタルビデオディスク（ＤＶＤ））、及び／又は、情報を記憶する任意の他の揮発性又は不揮発性の、非一時的なコンピュータ可読及び／又はコンピュータ実行可能メモリデバイスを含む。
【００６５】
いくつかの実施形態では、ネットワークインタフェース１０４０は、処理回路１０２０に通信可能に結合され、そして、ネットワークノード１１５のための入力を受信し、ネットワークノード１１５からの出力を送信し、入力又は出力又はその両方の適切な処理を実行し、他のデバイスと通信し、あるいはこれらの任意の組合せを行うように動作可能な、任意の適切なデバイスを指すことができる。ネットワークインタフェース１０４０は、ネットワークを介して通信するために、プロトコル変換及びデータ処理能力を含む適切なハードウェア（例えば、ポート、モデム、ネットワークインタフェースカードなど）及びソフトウェアを含み得る。
【００６６】
ネットワークノード１１５の他の実施形態は、上述の機能性のいずれか、及び／又は（上述のソリューションをサポートするために必要な任意の機能性を含む）任意の追加の機能性を含む、無線ネットワークノードの機能性のある態様を提供する責任を負うことができる、図９に示されるものを超える追加のコンポーネントを含むことができる。様々な異なるタイプのネットワークノードが、同じ物理ハードウェアを有するが異なる無線アクセス技術をサポートするように（例えば、プログラミングを介して）構成されたコンポーネントを含むことができ、又は、部分的に又は完全に異なる物理コンポーネントを表すことができる。
【００６７】
ネットワークノード１１５は、ＲＲＣ＿ＩＤＬＥ及びＲＲＣ＿ＩＮＡＣＴＩＶＥ状態のための同期信号（ＳＳ）ブロックベースのセル再選択測定のために、無線ネットワークノードによってサービスされるセルにキャンプオンするユーザ装置（ＵＥ）１１０を構成するように動作可能な無線ネットワークノードであり得る。無線ネットワークノードは、処理回路１０２０及びメモリ１０３０を備える。メモリ１０３０は処理回路１０２０によって実行可能な命令を含み、それによって、無線ネットワークノード１１５は、測定ウインドウのための構成パラメータを含む情報をＵＥ１１０に提供するように動作可能であり、構成パラメータは、ＲＲＣ＿ＩＤＬＥ及びＲＲＣ＿ＩＮＡＣＴＩＶＥ状態のためのＳＳブロックベースのセル再選択測定のためにＵＥを構成するための、ウインドウ周期性パラメータ、ウインドウオフセットパラメータ、及びウインドウ持続時間パラメータを含む。
【００６８】
無線ネットワークノードは、ｇＮｏｄｅＢ（ｇＮＢ）であってもよい。提供される情報は、システム情報（ＳＩ）であってもよい。ウインドウ周期性パラメータは、無線ネットワークノードによってサービスされるセル及びこれに関連する隣接セルの中での最小のＳＳバーストセット反復周期に等しい値を有することができる。ウインドウ周期性パラメータは、５、１０、２０、４０、８０及び１６０ミリ秒からなるグループ内で選択される値を有してもよい。ウインドウオフセットパラメータは、ウインドウ周期性パラメータよりも小さくてもよい。ウインドウ持続時間パラメータは、構成されたウインドウ周期性パラメータより小さいか、又は等しくてもよい。無線ネットワークノードは更に、少なくとも１つのセルにサービス提供するように動作可能であり、情報は、無線ネットワークノードによってサービス提供される少なくとも１つのセルに提供され得る。ＳＳブロックがＵＥの近傍で送信される時間間隔をカバーする反復測定ウインドウが存在し得る。測定ウインドウは、ＳＳバーストをカバーすることができる。測定ウインドウはＳＳバーストセットをカバーすることができ、ウインドウオフセットは現在のサービングセルのＳＳバーストセットの開始に関連することができ、ウインドウ持続時間は、現在のサービングセル及び関連する隣接セルのＳＳバーストセットの和集合とすることができる。ＳＳバーストセットは１つのＳＳバーストを含むことができ、測定ウインドウは、ＳＳバーストをカバーすることができる。無線ネットワークノードは、隣接無線ネットワークノードｓから無線ネットワークノード間同期精度のビーム掃引構成を取得するように更に動作可能であってもよい。ビーム掃引構成は、ＳＳバースト内のビームの数と、ＳＳバーストセット内のＳＳバーストの数と、ＳＳバースト間の間隔と、隣接無線ネットワークノードｓのＳＳバーストセット反復周期の少なくとも近似と、を含むことができる。無線ネットワークノードは、ＲＲＣ＿ＣＯＮＮＥＣＴＥＤ状態からＲＲＣ＿ＩＮＡＣＴＩＶＥ又はＲＲＣ＿ＩＤＬＥ状態にＵＥを切り替える前に、又は切り替えることに関連して、ＵＥに情報を伝達するために無線リソース制御（ＲＲＣ）シグナリングを使用するように更に動作可能であり得る。無線ネットワークノードは、情報をＵＥに伝達するためにＲＲＣＣｏｎｎｅｃｔｉｏｎＲｅｌｅａｓｅメッセージを使用するように更に動作可能であり得る。測定ウインドウは、ＳＳバーストウインドウごとの構成を可能にするために、複数のサブウインドウに分割されてもよい。ＳＩは、サブウインドウ持続時間パラメータ及びサブウインドウ反復周期性パラメータを含む、測定ウインドウのための更なる構成パラメータを含んでもよい。
【００６９】
図１０は、特定の実施形態による、例示的な無線ネットワークコントローラ又はコアネットワークノード１３０の概略ブロック図である。ネットワークノードの例は、移動交換局（ＭＳＣ）、サービングＧＰＲＳサポートノード（ＳＧＳＮ）、モビリティ管理エンティティ（ＭＭＥ）、無線ネットワークコントローラ（ＲＮＣ）、基地局コントローラ（ＢＳＣ）などを含むことができる。無線ネットワークコントローラ又はコアネットワークノード１３０は、処理回路１１２０、メモリ１１３０、及びネットワークインタフェース１１４０を含む。いくつかの実施形態では、処理回路１１２０は、ネットワークノードによって提供されるものとして上述した機能のいくつか又は全てを提供するための命令を実行し、メモリ１１３０は、処理回路１１２０によって実行される命令を保存し、ネットワークインタフェース１１４０は、ゲートウェイ、スイッチ、ルータ、インターネット、公衆交換電話網（ＰＳＴＮ）、ネットワークノード１１５、無線ネットワークコントローラ又はコアネットワークノード１３０などの任意の適切なノードに信号を通信する。
【００７０】
処理回路１１２０は、無線ネットワークコントローラ又はコアネットワークノード１３０の説明された機能の一部又は全てを実行するために、命令を実行してデータを操作するために、１つ又は複数のモジュールで実装されたハードウェア及びソフトウェアの任意の適切な組合せを含むことができる。いくつかの実施形態では、処理回路１１２０が例えば、１つ又は複数のコンピュータ、１つ又は複数の中央処理装置（ＣＰＵ）、１つ又は複数のマイクロプロセッサ、１つ又は複数のアプリケーション、及び／又は他のロジックを含み得る。
【００７１】
メモリ１１３０は一般に、コンピュータプログラム、ソフトウェア、アプリケーション（ロジック、ルール、アルゴリズム、コード、テーブルなどのうちの１つ又は複数を含む）、及び／又は処理回路１１２０によって実行されることが可能な他の命令などの、命令を格納するように動作可能である。メモリ１１３０の例は、コンピュータメモリ（例えば、ランダムアクセスメモリ（ＲＡＭ）又はリードオンリメモリ（ＲＯＭ））、大容量記憶媒体（例えば、ハードディスク）、リムーバブル記憶媒体（例えば、コンパクトディスク（ＣＤ）又はデジタルビデオディスク（ＤＶＤ））、及び／又は、情報を記憶する任意の他の揮発性又は不揮発性の、非一時的なコンピュータ可読及び／又はコンピュータ実行可能メモリデバイスを含む。
【００７２】
いくつかの実施形態では、ネットワークインタフェース１１４０は、処理回路１１２０に通信可能に結合され、そして、ネットワークノードのための入力を受信し、ネットワークノードからの出力を送信し、入力又は出力又はその両方の適切な処理を実行し、他のデバイスと通信し、あるいはこれらの任意の組合せを行うように動作可能な、任意の適切なデバイスを指すことができる。ネットワークインタフェース１１４０は、ネットワークを介して通信するために、プロトコル変換及びデータ処理能力を含む適切なハードウェア（例えば、ポート、モデム、ネットワークインタフェースカードなど）及びソフトウェアを含み得る。
【００７３】
ネットワークノードの他の実施形態は、上述の機能性のいずれか、及び／又は（上述のソリューションをサポートするために必要な任意の機能性を含む）任意の追加の機能性を含む、ネットワークノードの機能性のある態様を提供する責任を負うことができる、図１０に示されるものを超える追加のコンポーネントを含むことができる。
【００７４】
図１１は、特定の実施形態による例示的な無線デバイスの概略ブロック図である。無線デバイス１１０は、１つ又は複数のモジュールを含むことができる。例えば、無線デバイス１１０は、判定モジュール１２１０、通信モジュール１２２０、受信モジュール１２３０、入力モジュール１２４０、表示モジュール１２５０、及び任意の他の適切なモジュールを含み得る。いくつかの実施形態では、判定モジュール１２１０、通信モジュール１２２０、受信モジュール１２３０、入力モジュール１２４０、表示モジュール１２５０、又は任意の他の適切なモジュールのうちの１つ又は複数は、図８に関連して上述した処理回路９２０などの１つ又は複数のプロセッサを使用して実装されてもよい。特定の実施形態では、様々なモジュールのうちの２つ又はそれ以上の機能が単一のモジュールに組み合わされてもよい。無線デバイス１１０は、図１〜図７に関連して上述され、図１３に関連して以下に説明される、セル再選択測定ウインドウに関連する機能を実行することができる。
【００７５】
判定モジュール１２１０は、無線デバイス１１０の処理機能を実行することができる。
【００７６】
判定モジュール１２１０は、図８に関連して上述した処理回路９２０などの１つ又は複数のプロセッサを含むことができ、又はその中に含めることができる。判定モジュール１２１０は、上述した判定モジュール１２１０及び／又は処理回路９２０の機能のいずれかを実行するように構成されたアナログ及び／又はデジタル回路を含むことができる。上述の判定モジュール１２１０の機能は、特定の実施形態では、１つ以上の別個のモジュールで実行されてもよい。
【００７７】
通信モジュール１２２０は、無線デバイス１１０の送信機能を実行することができる。通信モジュール１２２０は、図８に関連して上述したトランシーバ９１０などの送信機及び／又はトランシーバを含むことができる。通信モジュール１２２０は、メッセージ及び／又は信号を無線で送信するように構成された回路を含むことができる。特定の実施の形態では、通信モジュール１２２０が判定モジュール１２１０から送信のためのメッセージ及び／又は信号を受信することができる。特定の実施形態では、上述の通信モジュール１２２０の機能が１つ以上の別個のモジュールにおいて実行されてもよい。
【００７８】
受信モジュール１２３０は、無線デバイス１１０の受信機能を実行することができる。受信モジュール１２３０は、受信機及び／又はトランシーバを含み得る。受信モジュール１２３０は、図８に関連して上述したトランシーバ９１０などの受信機及び／又はトランシーバを含むことができる。受信モジュール１２３０は、メッセージ及び／又は信号を無線で受信するように構成された回路を含むことができる。特定の実施の形態では、受信モジュール１２３０が受信されたメッセージ及び／又は信号を判定モジュール１２１０に通信することができる。上述の受信モジュール１２３０の機能は、特定の実施形態では、１つ以上の別個のモジュールで実行されてもよい。
【００７９】
入力モジュール１２４０は、無線デバイス１１０に向けられたユーザ入力を受信することができる。例えば、入力モジュールは、キー押下、ボタン押下、タッチ、スワイプ、オーディオ信号、ビデオ信号、及び／又は任意の他の適切な信号を受信し得る。入力モジュールは、１つ又は複数のキー、ボタン、レバー、スイッチ、タッチスクリーン、マイクロフォン、及び／又はカメラを含むことができる。入力モジュールは、受信された信号を判定モジュール１２１０に通信することができる。上述の入力モジュール１２４０の機能は、特定の実施形態では、１つ以上の別個のモジュールで実行されてもよい。
【００８０】
表示モジュール１２５０は、無線デバイス１１０のディスプレイ上に信号を提示し得る。表示モジュール１２５０は、ディスプレイ、及び／又はディスプレイ上に信号を提示するように構成された任意の適切な回路及びハードウェアを含むことができる。表示モジュール１２５０は、判定モジュール１２１０からディスプレイ上に提示する信号を受信することができる。上述の表示モジュール１２５０の機能は、特定の実施形態では、１つ以上の別個のモジュールで実行されてもよい。
【００８１】
判定モジュール１２１０、通信モジュール１２２０、受信モジュール１２３０、入力モジュール１２４０、及び表示モジュール１２５０は、ハードウェア及び／又はソフトウェアの任意の適切な構成を含み得る。無線デバイス１１０は、上述の機能性のうちのいずれか、及び／又は（本明細書で説明される様々なソリューションをサポートするために必要な任意の機能性を含む）任意の追加の機能性を含む、任意の適切な機能性を提供する役割を果たすことができる、図１１に示されるものを超える追加のモジュールを含むことができる。
【００８２】
図１２は、特定の実施形態による、例示的なネットワークノード１１５の概略ブロック図である。ネットワークノード１１５は、１つ又は複数のモジュールを含むことができる。例えば、ネットワークノード１１５は、判定モジュール１３１０、通信モジュール１３２０、受信モジュール１３３０、及び任意の他の適切なモジュールを含み得る。いくつかの実施形態では、判定モジュール１３１０、通信モジュール１３２０、受信モジュール１３３０、又は任意の他の適切なモジュールのうちの１つ又は複数は、図９に関連して上述した処理回路１０２０などの１つ又は複数のプロセッサを使用して実装されてもよい。特定の実施形態では、様々なモジュールのうちの２つ又はそれ以上の機能が単一のモジュールに組み合わされてもよい。ネットワークノード１１５は、図１〜図７に関連して上述し、図１３に関連して以下に説明する、チャネルラスタ及び番号付けに関連する方法を実行することができる。
【００８３】
判定モジュール１３１０は、ネットワークノード１１５の処理機能を実行することができる。一例として、判定モジュール１３１０は、アクセスノードについて上述したセル再選択測定ウインドウ機能を実行することができる。判定モジュール１３１０は、図９に関連して上述した処理回路１０２０などの１つ又は複数のプロセッサを含むことができ、又はその中に含めることができる。判定モジュール１３１０は、上述した判定モジュール１３１０及び／又は処理回路１０２０の機能のいずれかを実行するように構成されたアナログ及び／又はデジタル回路を含むことができる。判定モジュール１３１０の機能は、特定の実施形態では、１つ以上の別個のモジュールで実行されてもよい。
【００８４】
通信モジュール１３２０は、ネットワークノード１１５の送信機能を実行することができる。通信モジュール１３２０は、無線デバイス１１０のうちの１つ又は複数にメッセージを送信することができる。通信モジュール１３２０は、図９に関連して上述したトランシーバ１０１０などの送信機及び／又はトランシーバを含むことができる。通信モジュール１３２０は、メッセージ及び／又は信号を無線で送信するように構成された回路を含むことができる。特定の実施の形態では、通信モジュール１３２０は、判定モジュール１３１０又は任意の他のモジュールから送信のためのメッセージ及び／又は信号を受信することができる。通信モジュール１３２０の機能は、特定の実施形態では、１つ以上の別個のモジュールで実行されてもよい。
【００８５】
受信モジュール１３３０は、ネットワークノード１１５の受信機能を実行することができる。受信モジュール１３３０は、無線デバイスから任意の適切な情報を受信することができる。受信モジュール１３３０は、図９に関連して上述したトランシーバ１０１０などの受信機及び／又はトランシーバを含むことができる。受信モジュール１３３０は、メッセージ及び／又は信号を無線で受信するように構成された回路を含むことができる。特定の実施の形態では、受信モジュール１３３０は、受信されたメッセージ及び／又は信号を判定モジュール１３１０又は任意の他の適切なモジュールに通信することができる。受信モジュール１３３０の機能は、特定の実施形態では、１つ以上の別個のモジュールで実行されてもよい。
【００８６】
判定モジュール１３１０、通信モジュール１３２０、及び受信モジュール１３３０は、ハードウェア及び／又はソフトウェアの任意の適切な構成を含み得る。ネットワークノード１１５は、上述の機能性のうちのいずれか、及び／又は（本明細書で説明される様々なソリューションをサポートするために必要な任意の機能性を含む）任意の追加の機能性を含む、任意の適切な機能性を提供する役割を果たすことができる、図１２に示されるものを超える追加のモジュールを含むことができる。
【００８７】
図１３は、ＲＲＣ＿ＩＤＬＥ及びＲＲＣ＿ＩＮＡＣＴＩＶＥ状態のための同期信号（ＳＳ）ブロックベースのセル再選択測定のために、無線ネットワークノードによってサービスされるセルにキャンプオンするユーザ装置（ＵＥ）を構成するための、無線ネットワークノードによって実行される方法を示す。本方法は、ステップ１３５０において、測定ウインドウのための構成パラメータを含む情報をＵＥに提供することを含み、構成パラメータは、ＲＲＣ＿ＩＤＬＥ及びＲＲＣ＿ＩＮＡＣＴＩＶＥ状態のためのＳＳブロックベースのセル再選択測定のための、ウインドウ周期性パラメータと、ウインドウオフセットパラメータと、ウインドウ持続時間パラメータとを含む。
【００８８】
無線ネットワークノードは、ｇＮｏｄｅＢ（ｇＮＢ）であってもよい。情報は、システム情報（ＳＩ）の中でＵＥに提供され得る。ウインドウ周期性パラメータは、無線ネットワークノードによってサービスされるセル及びこれに関連する隣接セルの中での最小のＳＳバーストセット反復周期に等しい値を有することができる。ウインドウ周期性パラメータは、５、１０、２０、４０、８０及び１６０ミリ秒からなるグループ内で選択される値を有してもよい。ウインドウオフセットパラメータは、ウインドウ周期性パラメータよりも小さくてもよい。ウインドウ持続時間パラメータは、構成されたウインドウ周期性パラメータより小さいか、又は等しくてもよい。無線ネットワークノードは、少なくとも１つのセルにサービス提供することができ、情報は、無線ネットワークノードによってサービス提供される少なくとも１つのセルに提供される。ＳＳブロックがＵＥの近傍で送信される時間間隔をカバーする反復測定ウインドウが存在し得る。測定ウインドウは、ＳＳバーストをカバーすることができる。測定ウインドウはＳＳバーストセットをカバーすることができ、ウインドウオフセットは現在のサービングセルのＳＳバーストセットの開始に関連することができ、ウインドウ持続時間は、現在のサービングセル及び関連する隣接セルのＳＳバーストセットの和集合とすることができる。ＳＳバーストセットは１つのＳＳバーストを含むことができ、測定ウインドウは、ＳＳバーストをカバーすることができる。無線ネットワークノードは、ステップ１３５１において、隣接無線ネットワークノードｓから無線ネットワークノード間同期精度のビーム掃引構成を取得することができる。ビーム掃引構成は、ＳＳバースト内のビームの数と、ＳＳバーストセット内のＳＳバーストの数と、ＳＳバースト間の間隔と、隣接無線ネットワークノードｓのＳＳバーストセット反復周期の少なくとも近似と、を含むことができる。ＵＥを構成することは、ステップ１３５２において、無線ネットワークノード間同期精度、ＳＳバーストにおけるビームの数、ＳＳバーストセットにおけるＳＳバーストの数、ＳＳバースト間の間隔、及び隣接無線ネットワークノードｓのＳＳバーストセット反復周期に基づいて、測定ウインドウを構成することを更に含み得る。無線ネットワークノードは、ステップＳ１３５３において、ＲＲＣ＿ＣＯＮＮＥＣＴＥＤ状態からＲＲＣ＿ＩＮＡＣＴＩＶＥ又はＲＲＣ＿ＩＤＬＥ状態にＵＥを切り替える前に、又は切り替えることに関連して、ＵＥに情報を伝達するために無線リソース制御（ＲＲＣ）シグナリングを使用することができる。無線ネットワークノードは、ステップ１３５４において、情報をＵＥに伝達するためにＲＲＣＣｏｎｎｅｃｔｉｏｎＲｅｌｅａｓｅメッセージを使用することができる。測定ウインドウは、ＳＳバーストウインドウごとの構成を可能にするために、複数のサブウインドウに分割されてもよい。情報は、サブウインドウ持続時間パラメータ及びサブウインドウ反復周期性パラメータを含む、測定ウインドウのための更なる構成パラメータを含んでもよい。
【００８９】
本開示の範囲から逸脱することなく、本明細書に記載されたシステム及び装置に対して修正、追加、又は省略がなされてもよい。システム及び装置のコンポーネントは、統合されていてもよいし、分離されていてもよい。更に、システム及び装置の動作は、より多くの、より少ない、又は他のコンポーネントによって実行されてもよい。更に、システム及び装置の動作は、ソフトウェア、ハードウェア、及び／又は他のロジックを含む任意の適切なロジックを使用して実行され得る。本明細書で使用されるように、「各(each)」は、セットの各メンバ、又はセットのサブセットの各メンバを指す。
【００９０】
本開示の範囲から逸脱することなく、本明細書に記載された方法に対して修正、追加、又は省略がなされてもよい。この方法は、より多くの、より少ない、又は他のステップを含んでもよい。更に、ステップは、任意の適切な順序で実行されてもよく、オプションのステップは破線を使用して示されてもよい。
【００９１】
本開示は特定の実施形態に関して説明されてきたが、実施形態の変更及び置換は当業者には明らかであろう。したがって、実施形態の上記の説明は、本開示を制約しない。本開示の精神及び範囲から逸脱することなく、他の変更(changes)、置換、及び変更(alterations)が可能である。
【図１】
0006923669.tif 000002
【図２】
0006923669.tif 000003
【図３】
0006923669.tif 000004
【図４】
0006923669.tif 000005
【図５】
0006923669.tif 000006
【図６】
0006923669.tif 000007
【図７】
0006923669.tif 000008
【図８】
0006923669.tif 000009
【図９】
0006923669.tif 000010
【図１０】
0006923669.tif 000011
【図１１】
0006923669.tif 000012
【図１２】
0006923669.tif 000013
【図１３】
0006923669.tif 000014